(57)【特許請求の範囲】
【請求項１】
その略中央位置に入賞口と、該入賞口の内部の入賞領域と、入賞口の左右両側に開放部を備えた入賞口ケースを備え、両開放部には、入賞口を開閉する開閉部材が夫々枢支されてなるパチンコ遊技機の入賞装置において、
前記両開閉部材を、入賞口の左右両側の開放部にて、上下方向の支軸によって、水平回動可能に枢支するとともに、該開閉部材に遊技球を入賞領域へ案内し得る案内路を形成し、該開閉部材を回動駆動手段を介して水平回動させて、前記案内路が入賞領域と連通して遊技球を入賞領域へ案内する開放位置と、入賞口を遮蔽する閉鎖位置とに変換制御するようにしてなり、
さらに前記回動駆動手段が、各開閉部材を枢支する支軸から偏寄した位置で各開閉部材に連結されて前後方向に往復駆動される左右の駆動杆を備え、
両駆動杆がリンク機構を介して入賞口開放ソレノイドのプランジャに連繋されており、入賞口開放ソレノイドの駆動により、両駆動杆を前後方向へ往復駆動させ、両駆動杆の前後方向の往復駆動によって、両開閉部材に支軸を中心とする所定角度の水平往復回動を相互に異なる方向に生じさせるものであることを特徴とするパチンコ遊技機の入賞装置における入賞口開閉機構。
【発明の詳細な説明】
【０００１】
【発明の属する技術分野】
本発明は、パチンコ遊技機の入賞装置における入賞口開閉機構に関し、さらに詳しくは、遊技球の衝撃により生ずる開閉部材の誤閉鎖や、入賞装置の破損若しくは故障を防止し得るようにした入賞口開閉機構に関する。
【０００２】
【従来の技術】
一般に、第２種パチンコ遊技機は、入賞口を開閉する開閉部材を備え、かつ該入賞口から球流入が可能な作動領域内に普通入賞領域と特定入賞領域とを備えた入賞装置と、遊技球の通過により前記開閉部材を開閉させる開閉駆動領域とを備えてなり、該開閉駆動領域を遊技球が通過すると、開閉部材が瞬時的な往復開閉駆動を行ない、その開閉時に入賞口から作動領域内に流入した遊技球が特定入賞領域を通過すると、開閉部材が大当りとしての連続的な往復開閉駆動を行ない（開閉ラウンドの実行）、開閉ラウンド中に入賞口から作動領域内に流入した遊技球が特定入賞領域を通過する毎に、所定回数を上限とする開閉ラウンドを継続する。
【０００３】
この種のパチンコ遊技機の入賞装置は、入賞口を開閉する細板状の開閉部材が水平方向の駆動軸に軸支されて起倒可能に設けられており、該駆動軸の往復回動駆動を介して、その解放作動時には開閉部材が外側に傾倒して入賞口を解放するとともに、遊技盤面に沿って落下する遊技球を該開閉部材の上面で受け止めて作動領域内に導く案内作用を生じ、また、閉鎖作動時には開閉部材が傾倒位置から内側に回動して起立状態となり、入賞口を閉鎖するようになっている。
【０００４】
【発明が解決しようとする課題】
ところで、上記開閉部材は、その解放作動状態にあって、遊技盤面に沿って落下する遊技球を受け止めた時に少なからぬ衝撃を受けるのであるが、該衝撃の反動が作用する方向と、開閉部材が閉鎖作動する方向とが同じであるため、その衝撃の反動によって開閉部材が誤って閉じてしまうという問題点があった。また、開閉部材を軸支する水平方向の駆動軸が、遊技盤面に沿って落下する遊技球と略直交する位置関係で配設されているため、開閉部材が受ける衝撃が駆動軸にまともに作用し、該駆動軸に駆動手段として連結されているリンク機構やソレノイドにまで衝撃が伝わってしまうため、入賞装置の破損や故障が生じ易いという問題点があった。
【０００５】
本発明は、かかる従来の問題点を解消し得るようにしたパチンコ遊技機における入賞装置の入賞口開閉機構を提供することを目的とするものである。
【０００６】
【課題を解決するための手段】
本発明は、その略中央位置に入賞口と、該入賞口の内部の入賞領域と、入賞口の左右両側に開放部を備えた入賞口ケースを備え、両開放部には、入賞口を開閉する開閉部材が夫々枢支されてなるパチンコ遊技機の入賞装置において、前記両開閉部材を、入賞口の左右両側の開放部にて、上下方向の支軸によって、水平回動可能に枢支するとともに、該開閉部材に遊技球を入賞領域へ案内し得る案内路を形成し、該開閉部材を回動駆動手段を介して水平回動させて、前記案内路が入賞領域と連通して遊技球を入賞領域へ案内する開放位置と、入賞口を遮蔽する閉鎖位置とに変換制御するようにしてなり、さらに前記回動駆動手段が、各開閉部材を枢支する支軸から偏寄した位置で各開閉部材に連結されて前後方向に往復駆動される左右の駆動杆を備え、両駆動杆がリンク機構を介して入賞口開放ソレノイドのプランジャに連繋されており、入賞口開放ソレノイドの駆動により、両駆動杆を前後方向へ往復駆動させ、両駆動杆の前後方向の往復駆動によって、両開閉部材に支軸を中心とする所定角度の水平往復回動を相互に異なる方向に生じさせるものであることを特徴とするパチンコ遊技機の入賞装置における入賞口開閉機構である。
【０００７】
かかる構成にあって、上下方向の支軸に枢支された開閉部材が水平に回動駆動されることにより、その解放作動状態において、遊技盤面に沿って落下する遊技球を受け止めたときの衝撃の反動が生じても、該反動が作用する方向が、開閉部材の回動方向と略直交する方向であるため、開閉部材が誤閉鎖することがない。また、開閉部材を枢支する支軸が、遊技球の落下方向と同方向に配設されているため、遊技球を受け止めたときの衝撃が支軸に伝わり難くなり、該衝撃に起因する入賞装置の破損や故障を防止することができる。
【０００８】
また、上記構成にあって、開閉部材の回動駆動手段としては、開閉部材を枢支する支軸から偏寄した位置で該開閉部材に連結されて前後方向に往復駆動される駆動杆を備え、該駆動杆の前後方向の往復駆動によって、開閉部材に支軸を中心とする所定角度の水平往復回動を生じさせるようにする構成が提案され得る。ここで、駆動杆は、ソレノイドのＯＮ，ＯＦＦ制御によって一定ストロークで進退するプランジャに連繋することにより、前後方向に一定ストロークで往復運動させることができる。そして、この駆動杆の前後方向の往復運動を、開閉部材の水平方向の往復回動運動に変換し得るので、該開閉部材の安定した所定角度の回動制御が可能となる。
【０００９】
【発明の実施の形態】
本発明の一実施例を図面に基いて説明する。
図１は第２種パチンコ遊技機として構成されたパチンコ遊技機１の遊技盤面２を示す正面図であって、該遊技盤面２には、その略中央に入賞装置３が配設されており、また、該入賞装置３の下方には、逆ハ字形に開放される開閉翼片対５，５を備えた開閉駆動領域４ａとしての普通電動役物６が配設されている。この普通電動役物６には、その前面に二個の７セグメント指示器からなる図柄表示装置７が設けられ、さらにその両側に四個のパイロットランプからなる図柄始動記憶数表示装置８が設けられている。また、普通電動役物６の左右両側位置には開閉駆動領域４ｂ，４ｂが配設されており、さらに、普通電動役物６の下方には図柄始動領域９が配設されている。
【００１０】
前記図柄始動領域９は、遊技球の通過により球検知信号を送出する図柄始動スイッチＳ１（図６参照）を備えており、該図柄始動スイッチＳ１  から球検知信号が送出されると、図柄表示装置７が表示するデジタル数字図柄が変動を開始する。そして、その停止後の表示図柄が所定の当り態様（例えば同じ数字の組み合わせ）となると、普通電動役物６の開閉翼片対５，５が所定時間（約０．５  秒）開放され、開閉駆動領域４ａへの球流入が容易となるようにしている。ここで、普通電動役物６は、開閉翼片対５，５の非開放状態にあっても開閉駆動領域４ａへの球流入が可能であり、上記のように開閉翼片対５，５が開放されることにより、さらに開閉駆動領域４ａへの球流入が容易となる。
【００１１】
また、図柄始動領域９を遊技球が連続的に通過した場合には、図柄始動スイッチＳ１による球検知数が、図６で示す記憶装置ＲＡＭの一部領域により構成される始動記憶装置に記憶されるとともに、その記憶数に基づいて図柄始動記憶数表示装置８のパイロットランプが順次点灯し、最高四回まで保留される。この図柄始動記憶数表示装置８のパイロットランプは、始動記憶装置の記憶数に基づいて図柄表示装置７が変動開始する毎に順次消灯される。尚、図柄表示装置７としては、二個の７セグメント指示器によって構成されるもの以外に、単一の７セグメント指示器や、液晶表示器或は複数のＬＥＤにより構成されて、その表示内容により、当り，外れを決定するものであってもよい。
【００１２】
前記開閉駆動領域４ａの内部の球流路には、開閉駆動スイッチＳ２（図６参照）が設けられており、また、開閉駆動領域４ｂ，４ｂの内部の球流路には、開閉駆動スイッチＳ３（図６参照）が夫々設けられている。そして、開閉駆動領域４ｂ，４ｂへの遊技球の流入に伴なって各開閉駆動スイッチＳ３から球検知信号が送出されると、後述する回動駆動手段１９（図３，図４参照）が駆動され、開閉部材１６，１６が一回往復回動して入賞装置３の入賞口１５を一回開閉する。また、開閉駆動領域４ａへの遊技球の流入に伴なって開閉駆動スイッチＳ２  から球検知信号が送出されると、回動駆動手段１９が駆動され、開閉部材１６，１６が二回往復回動して入賞装置３の入賞口１５が二回開閉される。
【００１３】
次に、本発明の要部である入賞装置３の入賞口開閉機構を、図２〜図５について説明する。
入賞装置３の入賞口ケース１０は、その略中央位置に矩形状に開口された奥に深い入賞領域１１を備えており、該入賞領域１１の前部には、前方に突出する天壁部１２と底壁部１３とによって上部及び下部が遮蔽され、かつ左右両側に開放部１４，１４を備えた入賞口１５が設けられている。入賞口１５の開放部１４，１４には、略球状を呈する開閉部材１６，１６が上下方向の支軸１７，１７によって水平回動可能に夫々枢支されており、該開閉部材１６，１６には、遊技球を入賞領域１１へ案内し得る傾斜面を備えた案内路１８，１８が形成されている。この開閉部材１６，１６は、後述する回動駆動手段１９によって水平に往復回動駆動され、図２ロ，図５ロに示すように、案内路１８，１８が入賞領域１１と連通して遊技球を入賞領域１１へ案内し得る開放位置と、図２イ，図５イに示すように、入賞口１５を遮蔽する閉鎖位置とに変換制御される。
【００１４】
前記回動駆動手段１９は、図３，図４に示すように、開閉部材１６，１６を枢支する各支軸１７，１７から偏寄した位置で該開閉部材１６，１６に先端が連結されて前後方向に往復駆動される駆動杆２０，２０を備え、該駆動杆２０，２０がリンク機構２１を介して入賞口開放ソレノイド２２のプランジャ２３に連繋されており、開閉部材１６，１６を、相互に異なる方向に回動させる。ここで、入賞口開放ソレノイド２２は、ＯＦＦ状態で、図３イ，図４イに示すように、プランジャ２３が前方に進出作動する一方、ＯＮ状態で、図３ロ，図４ロに示すように、プランジャ２３が後方に後退作動するようになっている。また、リンク機構２１は、プランジャ２３の前端に固定されて左右方向に延在するリンク部材２４を備え、該リンク部材２４の左右両端部に、前記駆動杆２０，２０の後端が回動可能に枢結されている。
【００１５】
そして、入賞口開放ソレノイド２２がＯＮ状態となってプランジャ２３が後方に後退作動すると、図３ロ，図４ロに示すように、リンク機構２１を介して駆動杆２０，２０が後方に駆動され、これにより、開閉部材１６，１６が支軸１７，１７を中心にして開放位置まで水平回動し、また、入賞口開放ソレノイド２２がＯＦＦ状態となってプランジャ２３が前方に進出作動すると、図３イ，図４イに示すように、リンク機構２１を介して駆動杆２０，２０が前方に駆動され、これにより、開閉部材１６，１６が支軸１７，１７を中心に９０°水平回動して閉鎖位置に戻るようになっている。この入賞口開放ソレノイド２２は、前記開閉駆動領域４ａ，４ｂの球通過、または後述する特別開放作動の開始に伴なって駆動し、開閉駆動領域４ａ，４ｂの球通過により上述したように開閉部材１６，１６を一回若しくは二回往復回動させ、また、特別開放作動の実行による開閉ラウンド中にあっては、開閉部材１６，１６を所定制限回数（例えば最高１８回）往復回動させる。
【００１６】
また、入賞装置３の入賞領域１１内には、図示省略されているが普通入賞領域と特定入賞領域とが区画形成されており、さらに、大当りとしての特別開放作動の実行による開閉ラウンド中に、入賞口１５から流入した入賞球数を計数し、かつ景品球を供与するための１０カウントスイッチＳ４（図６参照）と、特定入賞領域の球通過を検知する役物連続作動スイッチＳ５（図６参照）とが設けられている。ここで、役物連続作動スイッチＳ５は、大当り中に特定入賞領域を通過した遊技球数を計数するためのカウントスイッチとしての機能も備えており、特定入賞領域の球通過を検知して、所定回数を上限とする開閉ラウンドを継続させる。また役物連続作動スイッチＳ５により検知される入賞球は、一回の開閉ラウンド中に計数される１０カウントスイッチＳ４  による入賞球数に合算される。
【００１７】
上述の入賞装置３及び図柄表示装置７の作動制御手段は、図６で示す中央制御装置ＣＰＵ等からなる遊技制御装置２５（マイクロコンピュータシステム）によって構成される。この中央制御装置ＣＰＵは、作動制御を所定の手順で実行するものであって、記憶装置ＲＯＭと、必要なデータを随時読み書きできる記憶装置ＲＡＭが接続されている。記憶装置ＲＯＭには、入賞装置３の開閉作動を行わせる入賞口開放ソレノイド２２の制御プログラム、図柄表示装置７の図柄変動表示プログラム、スピーカからの効果音等を発生させるための音声発生パターン等の固定データが記憶されている。
【００１８】
また、中央制御装置ＣＰＵには、図柄始動領域９に設けられた図柄始動スイッチＳ１，開閉駆動領域４ａに設けられた開閉駆動スイッチＳ２，開閉駆動領域４ｂに設けられた開閉駆動スイッチＳ３，入賞装置３への入賞球数を計数するための１０カウントスイッチＳ４，及び特定入賞領域に設けられた役物連続作動スイッチＳ５等の各種スイッチが入力ポートを介して接続される。これらの各スイッチから送出された球検知信号は波形整形回路により波形整形して中央制御装置ＣＰＵに入力データとして伝えられ、その情報が記憶装置ＲＡＭに記憶される。この記憶装置ＲＡＭには、メモリにデータを読み書きするアドレスを指定する情報を一方的に伝えるアドレスバス（図示せず）が接続され、かつ中央制御装置ＣＰＵと記憶装置ＲＯＭ，ＲＡＭは、データのやり取りを行なうデータバスによって接続される。
【００１９】
さらに、中央制御装置ＣＰＵには、出力ポートを介して制御される上述した図柄表示装置７，普通電動役物６の開放ソレノイド２６，入賞口開放ソレノイド２２，図柄始動記憶数表示装置８が接続される。その他、中央制御装置ＣＰＵには、音データを受けてアンプに出力するサウンドジェネレータが接続されている。
【００２０】
次に、上記構成からなるパチンコ遊技機１の作動について説明する。
開閉駆動領域４ａ，４ｂへ遊技球が流入すると、景品球の供与とともに、入賞口開放ソレノイド２２のＯＮ，ＯＦＦ制御を介して駆動杆２０，２０が前後方向に往復駆動され、開閉部材１６，１６が一回若しくは二回、水平に往復回動する。そして、その一回の往復回動毎に、図５ロに示すように、案内路１８，１８が入賞領域１１と連通して遊技球を入賞領域１１へ案内し得る開放状態を所定時間（例えば０．６  秒）生じさせ、遊技球の入賞が可能となる。
【００２１】
そして、上記のような開閉部材１６，１６の開放状態中に、入賞口１５から流入した遊技球が入賞領域１１内の特定入賞領域を通過すると、大当りとなり、入賞装置３の特別開放作動が実行される。この特別開放作動により、駆動杆２０，２０が連続的に往復駆動し、開閉部材１６，１６を所定制限開閉回数（例えば１８回）往復回動させ、かつ一回の往復回動毎に所定時間（例えば０．９秒）の開放状態を生じさせる開閉ラウンドが開始される。
【００２２】
一回の開閉ラウンドは、所定制限開閉回数（例えば１８回）の往復回動が満了するか、該所定制限開閉回数内で１０カウントスイッチＳ４により規定個数（例えば１０個）の遊技球の入賞検知がなされるか、またはその入賞した遊技球が特定入賞領域の役物連続作動スイッチＳ５を通過すると終了する。そして、この開閉ラウンド中に、役物連続作動スイッチＳ５によって特定入賞領域の球通過が検知されていると、次の開閉ラウンドへ進む条件が充足され、開閉ラウンドが再開される。そして、この開閉ラウンドが所定回数（例えば１５回）繰り返されると、入賞装置３の特別開放作動が終了する。
【００２３】
かかる構成にあって、開閉部材１６，１６が上下方向の支軸１７，１７に枢支されて水平に回動駆動されることにより、図５ロに示す解放作動状態において、遊技盤面２に沿って落下する遊技球ｘを受け止めたときの衝撃による反動が生じても、該反動が作用する方向が、開閉部材１６，１６の回動方向と略直交する方向となるため、開閉部材１６，１６が誤閉鎖することがない。また、開閉部材１６，１６を枢支する支軸１７，１７が、遊技球ｘの落下方向と同方向に配設されているため、遊技球を受け止めたときの衝撃が支軸１７，１７に伝わり難くなり、該衝撃に起因する入賞装置３の破損や故障を防止することができる。
【００２４】
図７は、入賞装置３の入賞口開閉機構の変形実施例を示し、この実施例は、断面略Ｌ形に形成した開閉部材１６，１６を、その中心から斜め後方に偏寄した位置で、上下方向の支軸１７，１７によって水平回動可能に夫々枢支することにより、図７ロに示すように、該開閉部材１６，１６が外方に突出して案内路１８，１８が入賞領域１１と連通し、遊技球を入賞領域１１へ案内し得る開放位置と、図７イに示すように、開閉部材１６，１６が入賞装置３内に収まって入賞口１５を遮蔽する閉鎖位置とに変換制御されるようになっている。尚、図示省略されているが、開閉部材１６，１６を水平に往復回動させる駆動手段は、上述した回動駆動手段１９が適用され得る。
【００２５】
尚、上記両実施例では、本発明にかかる入賞口開閉機構を第２種パチンコ機に適用した場合について説明したが、本発明の入賞口開閉機構は、その他の第１種パチンコ機、または、第３種パチンコ機にも適用可能である。
【００２６】
【発明の効果】
本発明は、上述のように、開閉部材を上下方向の支軸によって水平回動可能に枢支するとともに、該開閉部材に遊技球を入賞領域へ案内し得る案内路を形成し、該開閉部材を回動駆動手段を介して水平回動させて、前記案内路が入賞領域と連通して遊技球を入賞領域へ案内する開放位置と、入賞口を遮蔽する閉鎖位置とに変換制御するようにしたから、開閉部材の解放作動状態において、遊技盤面に沿って落下する遊技球を受け止めたときに、その衝撃の反動が生じても、該反動が作用する方向が、開閉部材の回動方向と略直交する方向であるため、開閉部材の誤閉鎖を防止することができる。また、開閉部材を枢支する支軸が、遊技球の落下方向と同方向に配設されているため、遊技球を受け止めたときの衝撃が支軸に伝わり難くなり、該衝撃に起因する入賞装置の破損や故障を防止することができる。
【００２７】
また、回動駆動手段を、開閉部材を枢支する支軸から偏寄した位置で該開閉部材に連結されて前後方向に往復駆動される駆動杆を備え、該駆動杆の前後方向の往復駆動によって、開閉部材に支軸を中心とする所定角度の水平往復回動を生じさせるように構成することにより、駆動杆の前後方向の往復運動が、開閉部材の水平方向の往復回動運動に変換され、該開閉部材の安定した所定角度の回動制御を行うことができる。
【図面の簡単な説明】
【図１】本発明にかかる入賞装置の入賞口開閉機構を備えたパチンコ遊技機の遊技盤面を示す正面図である。
【図２】イは入賞口の閉鎖状態を、ロは入賞口の開放状態を夫々示す入賞装置の斜視図である。
【図３】イは入賞口の閉鎖状態を、ロは入賞口の開放状態を夫々示す開閉部材の駆動機構の平面図である。
【図４】イは入賞口の閉鎖状態を、ロは入賞口の開放状態を夫々示す開閉部材の駆動機構の斜視図である。
【図５】イは入賞口の閉鎖状態を、ロは入賞口の開放状態を夫々示す入賞装置の正面図である。
【図６】遊技制御装置（マイクロコンピュータシステム）を示すブロック回路図である。
【図７】イは入賞口の閉鎖状態を、ロは入賞口の開放状態を夫々示す変形実施例にかかる入賞装置の斜視図である。
【符号の説明】
１  パチンコ遊技機
３  入賞装置
１１  入賞領域
１５  入賞口
１６  開閉部材
１７  支軸
１８  案内路
１９  回動駆動手段
２０  駆動杆
【図１】
0003584216.tif 000002
【図２】
0003584216.tif 000003
【図３】
0003584216.tif 000004
【図４】
0003584216.tif 000005
【図５】
0003584216.tif 000006
【図６】
0003584216.tif 000007
【図７】
0003584216.tif 000008